(57)【特許請求の範囲】
【請求項１】
基油と共に、
櫛形ポリマー（Ａ１）を含む粘度指数向上剤（Ａ）、
アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）、並びに、
モリブデン系摩擦調整剤を含む摩擦調整剤（Ｃ）を含有し、
アルカリ金属原子及びアルカリ土類金属原子の合計含有量が２０００質量ｐｐｍ以下であり、
櫛形ポリマー（Ａ１）の含有量が０．１〜３質量％であり、
アルカリ金属ホウ酸塩（Ｂ１）の含有量が、アルカリ金属原子換算で、０．０１〜０．０３５質量％である、潤滑油組成物。
【請求項２】
櫛形ポリマー（Ａ１）の重量平均分子量（Ｍｗ）が、１千〜１００万である、請求項１に記載の潤滑油組成物。
【請求項３】
櫛形ポリマー（Ａ１）の含有量と、アルカリ金属ホウ酸塩（Ｂ１）のホウ素原子換算での含有量との比〔Ａ１／Ｂ１〕が、１２／１〜１００／１である、請求項１又は２に記載の潤滑油組成物。
【請求項４】
清浄分散剤（Ｂ）が、さらに、アルケニルコハク酸イミド及びホウ素変性アルケニルコハク酸イミドから選ばれる１種以上のアルケニルコハク酸イミド系化合物（Ｂ３）を含む、請求項１〜３のいずれか１項に記載の潤滑油組成物。
【請求項５】
アルカリ金属ホウ酸塩（Ｂ１）に含まれるアルカリ金属原子が、カリウム原子である、請求項１〜４のいずれか１項に記載の潤滑油組成物。
【請求項６】
有機金属系化合物（Ｂ２）に含まれる金属原子が、ナトリウム原子、カルシウム原子、マグネシウム原子、又はバリウム原子である、請求項１〜５のいずれか１項に記載の潤滑油組成物。
【請求項７】
有機金属系化合物（Ｂ２）が、金属サリシレート、金属フェネート、及び金属スルホネートから選ばれる１種以上である、請求項１〜６のいずれか１項に記載の潤滑油組成物。
【請求項８】
前記潤滑油組成物の全量基準での前記モリブデン系摩擦調整剤の含有量が、モリブデン原子換算で、０．０１〜０．１５質量％である、請求項１〜７のいずれか１項に記載の潤滑油組成物。
【請求項９】
ナトリウム原子、カルシウム原子、マグネシウム原子、及びバリウム原子の合計含有量が、前記潤滑油組成物の全量基準で、１９００質量ｐｐｍ以下である、請求項１〜８のいずれか１項に記載の潤滑油組成物。
【請求項１０】
カルシウム原子の含有量が、前記潤滑油組成物の全量基準で、１９００質量ｐｐｍ以下である、請求項１〜９のいずれか１項に記載の潤滑油組成物。
【請求項１１】
有機金属系化合物（Ｂ２）のアルカリ金属原子及びアルカリ土類金属原子から選ばれる金属原子換算での含有量と、アルカリ金属ホウ酸塩（Ｂ１）のホウ素原子換算での含有量との比〔（Ｂ２）／（Ｂ１）〕が、１／１〜１５／１である、請求項１〜１０のいずれか１項に記載の潤滑油組成物。
【請求項１２】
カリウム原子の含有量が、当該潤滑油組成物の全量基準で、０．０１〜０．１０質量％である、請求項１〜１１のいずれか１項に記載の潤滑油組成物。
【請求項１３】
櫛形ポリマー（Ａ１）には該当しないポリメタクリレート系化合物の含有量が、前記潤滑油組成物中に含まれる櫛形ポリマー（Ａ１）１００質量部に対して、０〜３０質量部である、請求項１〜１２のいずれか１項に記載の潤滑油組成物。
【請求項１４】
前記基油が、ＡＰＩ（米国石油協会）基油カテゴリーでグループ３に分類される鉱油及び合成油から選ばれる１種以上である、請求項１〜１３のいずれか１項に記載の潤滑油組成物。
【請求項１５】
直噴過給ガソリンエンジンに用いられる、請求項１〜１４のいずれか１項に記載の潤滑油組成物。
【請求項１６】
基油と共に、
櫛形ポリマー（Ａ１）を含む粘度指数向上剤（Ａ）、
アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）、並びに、
モリブデン系摩擦調整剤を含む摩擦調整剤（Ｃ）を含有し、
カルシウム原子の含有量が１９００質量ｐｐｍ以下であり、
櫛形ポリマー（Ａ１）の含有量が０．１〜３質量％であり、
アルカリ金属ホウ酸塩（Ｂ１）の含有量が、アルカリ金属原子換算で、０．０１〜０．０３５質量％である、潤滑油組成物。
【請求項１７】
請求項１〜１６のいずれか１項に記載の潤滑油組成物を直噴過給ガソリンエンジンに用いる、潤滑油組成物の使用方法。
【請求項１８】
基油に、
櫛形ポリマー（Ａ１）を含む粘度指数向上剤（Ａ）、
アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）、並びに、
モリブデン系摩擦調整剤を含む摩擦調整剤（Ｃ）を配合して、
アルカリ金属原子及びアルカリ土類金属原子の合計含有量が２０００質量ｐｐｍ以下もしくはカルシウム原子の含有量が１９００質量ｐｐｍ以下、櫛形ポリマー（Ａ１）の含有量が０．１〜３質量％、アルカリ金属ホウ酸塩（Ｂ１）の含有量が、アルカリ金属原子換算で、０．０１〜０．０３５質量％となるような潤滑油組成物を調製する工程（Ｉ）を有する、
潤滑油組成物の製造方法。
【発明の詳細な説明】
【技術分野】
【０００１】
本発明は、潤滑油組成物、及び当該潤滑油組成物の製造方法に関する。
【背景技術】
【０００２】
近年、地球規模での環境規制はますます厳しくなり、自動車を取り巻く状況も、燃費規制、排出ガス規制等の側面から厳しくなる一方である。特に、自動車等の車両の燃費性能向上は大きな課題であり、その課題を解決するための一つの手段として、車両に使用される潤滑油組成物の省燃費性向上が求められている。
潤滑油組成物の省燃費性向上には、一般的に、潤滑油組成物に配合される粘度指数向上剤としてポリメタクリレート（ＰＭＡ）が用いられる。【０００３】
しかしながら、一般的に、ＰＭＡ等の粘度指数向上剤を含む潤滑油組成物は、高温高せん断条件下で使用すると、清浄性が低下してしまうことが知られている。そのため、潤滑油組成物中の金属系清浄剤の配合量を増やしたり、金属系清浄剤の好適な組み合わせの検討が行われている。
例えば、特許文献１では、潤滑油基油に、ＰＭＡやエチレン−プロピレン共重合体等の粘度指数向上剤と共に、窒素含有無灰性分散剤、金属含有清浄剤、アルカリ金属ホウ酸塩水和物、特定のジヒドロカルビルジチオリン酸亜鉛を所定量を配合して溶解もしくは分散されてなる潤滑油組成物が提案されている。
【先行技術文献】
【特許文献】
【０００４】
【特許文献１】特開２００５−３０６９１３号公報
【発明の概要】
【発明が解決しようとする課題】
【０００５】
しかしながら、特許文献１に記載の潤滑油組成物は、ディーゼルエンジン用であり、省燃費性が十分ではない。また、近年、ガソリンエンジン車両においては、燃費向上のため直噴過給エンジンの導入が進んでいる。直噴過給エンジンに用いられる潤滑油組成物には、より高い省燃費性と清浄性が求められる。そのため、特許文献１に記載の潤滑油組成物は、直噴過給ガソリンエンジン用の潤滑油としては適合し難い。
さらに、潤滑油組成物の省燃費性を向上させるために、潤滑油組成物中にモリブデン系摩擦調整剤を配合することも行われているが、モリブデン系摩擦調整剤は、潤滑油組成物の清浄性を低下させるという問題があった。
潤滑油組成物の清浄性を向上させるために、潤滑油組成物中の金属系清浄剤の配合量を増やすことも行われている。しかしながら、直噴過給ガソリンエンジン用の潤滑油において、金属系清浄剤の配合量を増やすことで、エンジンオイルの着火に伴う異常燃焼（低速プレイグニッション；ＬＳＰＩ）が発生し易いとの弊害が生じることが分かっている。そのため、ＬＳＰＩの発生防止の観点から、潤滑油組成物中の金属系清浄剤の配合量は極力低減する必要がある。
そのため、これらの問題点を解決し、清浄性、省燃費性、及びＬＳＰＩ防止性をバランス良く向上させた、直噴過給ガソリンエンジンにも適用し得る潤滑油組成物が望まれていた。【０００６】
本発明は、上記事情に鑑みてなされたもので、優れた清浄性、省燃費性、及びＬＳＰＩ防止性を有する潤滑油組成物、及び当該潤滑油組成物の製造方法を提供することを目的とする。
【課題を解決するための手段】
【０００７】
本発明者らは、鋭意研究を重ねた結果、基油と共に、粘度指数向上剤として櫛形ポリマーを用い、さらに、アルカリ金属ホウ酸塩と特定の有機金属系化合物とを含む清浄分散剤、並びに、モリブデン系摩擦調整剤を含有し、アルカリ金属原子及びアルカリ土類金属原子の含有量もしくはカルシウム原子の含有量を所定値以下に調製した潤滑油組成物が、上記課題を解決し得ることを見出し、本発明を完成させた。【０００８】
すなわち本発明は、下記［１］〜［４］を提供する。
［１］基油と共に、
櫛形ポリマー（Ａ１）を含む粘度指数向上剤（Ａ）、
アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）、並びに、
モリブデン系摩擦調整剤を含む摩擦調整剤（Ｃ）を含有し、
アルカリ金属原子及びアルカリ土類金属原子の合計含有量が２０００質量ｐｐｍ以下である、潤滑油組成物。
［２］基油と共に、
櫛形ポリマー（Ａ１）を含む粘度指数向上剤（Ａ）、
アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）、並びに、
モリブデン系摩擦調整剤を含む摩擦調整剤（Ｃ）を含有し、
カルシウム原子の含有量が１９００質量ｐｐｍ以下である、潤滑油組成物。
［３］上記［１］又は［２］に記載の潤滑油組成物を直噴過給ガソリンエンジンに用いる、潤滑油組成物の使用方法。
［４］基油に、
櫛形ポリマー（Ａ１）を含む粘度指数向上剤（Ａ）、
アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）、並びに、
モリブデン系摩擦調整剤を含む摩擦調整剤（Ｃ）を配合して、
アルカリ金属原子及びアルカリ土類金属原子の合計含有量が２０００質量ｐｐｍ以下もしくはカルシウム原子の含有量が１９００質量ｐｐｍ以下となるような潤滑油組成物を調製する工程（Ｉ）を有する、潤滑油組成物の製造方法。
【発明の効果】
【０００９】
本発明の潤滑油組成物は、優れた清浄性、省燃費性、及びＬＳＰＩ防止性を有しており、直噴過給ガソリンエンジンにも適合し得る高いレベルの性状を有する。
【発明を実施するための形態】
【００１０】
本明細書において、潤滑油組成物中のアルカリ金属原子、アルカリ土類金属原子、ホウ素原子、モリブデン原子、及びリン原子の含有量は、ＪＰＩ−５Ｓ−３８−９２に準拠して測定された値であり、窒素原子の含有量は、ＪＩＳ  Ｋ２６０９に準拠して測定された値を意味する。
また、本明細書において、「４０℃又は１００℃における動粘度」及び「粘度指数」は、ＪＩＳ  Ｋ  ２２８３に準拠して測定された値を意味する。
【００１１】
本明細書において、重量平均分子量（Ｍｗ）及び数平均分子量（Ｍｎ）は、ゲルパーミエーションクロマトグラフィー（ＧＰＣ）法で測定される標準ポリスチレン換算の値であり、具体的には、下記の測定装置及び測定条件で測定される標準ポリスチレン換算の値である。
（測定装置）
ゲル浸透クロマトグラフ装置（アジレント社製、「１２６０型ＨＰＬＣ」）
（測定条件）
・カラム：「Ｓｈｏｄｅｘ  ＬＦ４０４」を２本順次連結したもの
・カラム温度：３５℃
・展開溶媒：クロロホルム
・流速：０．３ｍＬ／ｍｉｎ
【００１２】
本明細書において、「アルカリ金属原子」としては、リチウム原子（Ｌｉ）、ナトリウム原子（Ｎａ）、カリウム原子（Ｋ）、ルビジウム原子（Ｒｂ）、セシウム原子（Ｃｓ）、及びフランシウム原子（Ｆｒ）を指す。
また、「アルカリ土類金属原子」としては、ベリリウム原子（Ｂｅ）、マグネシウム原子（Ｍｇ）、カルシウム原子（Ｃａ）、ストロンチウム原子（Ｓｒ）、及びバリウム原子（Ｂａ）を指す。
【００１３】
さらに、本明細書において、例えば、「（メタ）アクリレート」とは、「アクリレート」及び「メタクリレート」の双方を示す語として用いており、他の類似用語や同様の標記についても、同じである。
【００１４】
〔潤滑油組成物〕
本発明の潤滑油組成物は、基油と共に、櫛形ポリマー（Ａ１）（成分（Ａ１））を含む粘度指数向上剤（Ａ）（成分（Ａ））、アルカリ金属ホウ酸塩（Ｂ１）（成分（Ｂ１））と、アルカリ金属原子及びアルカリ土類金属原子から選ばれる金属原子を含有する有機金属系化合物（Ｂ２）（成分（Ｂ２））とを含む清浄分散剤（Ｂ）（成分（Ｂ））、並びに、モリブデン系摩擦調整剤を含む摩擦調整剤（Ｃ）（成分（Ｃ））を含有する。
本発明の一態様の潤滑油組成物は、本発明の効果を損なわない範囲において、さらに耐摩耗剤や酸化防止剤を含有することが好ましく、これら以外の汎用添加剤を含有していてもよい。
【００１５】
本発明の潤滑油組成物において、アルカリ金属原子及びアルカリ土類金属原子の合計含有量は、潤滑油組成物の全量（１００質量％）基準で、２０００質量ｐｐｍ以下である。
アルカリ金属原子及びアルカリ土類金属原子の合計含有量が２０００質量ｐｐｍを超えると、得られる潤滑油組成物の自然発火温度が低くなり、ＬＳＰＩ発生の頻度が高くなる傾向にある。
ＬＳＰＩ防止性の向上の観点から、アルカリ金属原子及びアルカリ土類金属原子の合計含有量としては、潤滑油組成物の全量（１００質量％）基準で、好ましくは１８００質量ｐｐｍ以下、より好ましくは１７００質量ｐｐｍ以下、更に好ましくは１５００質量ｐｐｍ以下、より更に好ましくは１３００質量ｐｐｍ以下である。
一方、清浄性の向上の観点から、アルカリ金属原子及びアルカリ土類金属原子の合計含有量は、潤滑油組成物の全量（１００質量％）基準で、好ましくは１００質量ｐｐｍ以上、より好ましくは２００質量ｐｐｍ以上、更に好ましくは３００質量ｐｐｍ以上、より更に好ましくは５００質量ｐｐｍ以上である。
【００１６】
本発明の別態様の潤滑油組成物において、カルシウム原子の含有量は、潤滑油組成物の全量（１００質量％）基準で、ＬＳＰＩ防止性の向上の観点から、１９００質量ｐｐｍ以下であり、好ましくは１７００質量ｐｐｍ以下、より好ましくは１５００質量ｐｐｍ以下、更に好ましくは１３００質量ｐｐｍ以下、より更に好ましくは１１００質量ｐｐｍ以下であり、清浄性の向上の観点から、好ましくは１００質量ｐｐｍ以上、より好ましくは２００質量ｐｐｍ以上、更に好ましくは３００質量ｐｐｍ以上、より更に好ましくは５００質量ｐｐｍ以上である。
【００１７】
本発明の一態様の潤滑油組成物において、ナトリウム原子、マグネシウム原子、カルシウム原子、及びバリウム原子の合計含有量は、潤滑油組成物の全量（１００質量％）基準で、ＬＳＰＩ防止性の向上の観点から、好ましくは１９００質量ｐｐｍ以下、好ましくは１７００質量ｐｐｍ以下、より好ましくは１５００質量ｐｐｍ以下、更に好ましくは１３００質量ｐｐｍ以下、より更に好ましくは１１００質量ｐｐｍ以下であり、清浄性の向上の観点から、好ましくは１００質量ｐｐｍ以上、より好ましくは２００質量ｐｐｍ以上、更に好ましくは３００質量ｐｐｍ以上、より更に好ましくは５００質量ｐｐｍ以上である。
【００１８】
本発明の一態様の潤滑油組成物において、アルカリ土類金属の合計含有量は、潤滑油組成物の全量（１００質量％）基準で、ＬＳＰＩ防止性の向上の観点から、好ましくは１９００質量ｐｐｍ以下、好ましくは１７００質量ｐｐｍ以下、より好ましくは１５００質量ｐｐｍ以下、更に好ましくは１３００質量ｐｐｍ以下、より更に好ましくは１１００質量ｐｐｍ以下であり、清浄性の向上の観点から、好ましくは１００質量ｐｐｍ以上、より好ましくは２００質量ｐｐｍ以上、更に好ましくは３００質量ｐｐｍ以上、より更に好ましくは５００質量ｐｐｍ以上である。
【００１９】
なお、上述の本発明の潤滑油組成物中に含まれる、各要件で所定の金属原子の含有量には、成分（Ｂ１）及び（Ｂ２）に由来する当該金属原子の含有量だけでなく、これらの成分以外の化合物に由来する当該金属原子の含有量も含まれる。
【００２０】
本発明の一態様の潤滑油組成物において、基油、成分（Ａ）、成分（Ｂ）、及び成分（Ｃ）の合計含有量は、当該潤滑油組成物の全量（１００質量％）基準で、好ましくは７０質量％以上、より好ましくは７５質量％以上、より好ましくは８０質量％以上、更に好ましくは８５質量％以上、より更に好ましくは９０質量％以上であり、また、通常１００質量％以下、より好ましくは９９．９質量％以下、更に好ましくは９９質量％以下である。
【００２１】
＜基油＞
本発明の一態様の潤滑油組成物に含まれる基油としては、鉱油であってもよく、合成油であってもよく、鉱油と合成油との混合油を用いてもよい。
鉱油としては、例えば、パラフィン基系、中間基系、ナフテン基系等の原油を常圧蒸留して得られる常圧残油；当該常圧残油を減圧蒸留して得られる留出油；当該留出油を、溶剤脱れき、溶剤抽出、水素化分解、溶剤脱ろう、接触脱ろう、水素化精製等の精製処理の１つ以上の処理を施した鉱油及びワックス；フィッシャー・トロプシュ法等により製造されるワックス（ＧＴＬワックス（Gas To Liquids WAX））を異性化することで得られる鉱油等が挙げられる。
これらの中でも、潤滑油組成物のＬＳＰＩ防止性の向上の観点から、溶剤脱れき、溶剤抽出、水素化分解、溶剤脱ろう、接触脱ろう、水素化精製等の精製処理の１つ以上の処理を施した鉱油及びワックスが好ましく、ＡＰＩ（米国石油協会）基油カテゴリーのグループ２及びグループ３に分類される鉱油がより好ましく、当該グループ３に分類される鉱油が更に好ましい。
【００２２】
合成油としては、例えば、ポリブテン、及びα−オレフィン単独重合体又は共重合体（例えば、エチレン−α−オレフィン共重合体等の炭素数８〜１４のα−オレフィン単独重合体又は共重合体）等のポリα−オレフィン；ポリオールエステル、二塩基酸エステル、リン酸エステル等の各種エステル；ポリフェニルエーテル等の各種エーテル；ポリグリコール；アルキルベンゼン；アルキルナフタレン；フィッシャー・トロプシュ法等により製造されるワックス（ＧＴＬワックス）を異性化することで得られる合成油等が挙げられる。
これらの合成油の中でも、ポリα−オレフィンが好ましい。
【００２３】
本発明の一態様で用いる基油としては、潤滑油組成物のＬＳＰＩ防止性の向上の観点、及び基油自身の酸化安定性の観点から、ＡＰＩ（米国石油協会）基油カテゴリーのグループ２及びグループ３に分類される鉱油、並びに合成油から選ばれる１種以上が好ましく、当該グループ３に分類される鉱油、並びにポリα−オレフィンから選ばれる１種以上がより好ましい。
なお、本発明の一態様において、これらの基油は、１種単独で用いてもよく、２種以上を組み合わせて用いてもよい。
【００２４】
本発明の一態様で用いる基油の１００℃における動粘度としては、好ましくは２．０〜２０．０ｍｍ２／ｓ、より好ましくは２．０〜１５．０ｍｍ２／ｓ、更に好ましくは２．０〜１０．０ｍｍ２／ｓ、より更に好ましくは２．０〜７．０ｍｍ２／ｓである。
当該基油の１００℃における動粘度が２．０ｍｍ２／ｓ以上であれば、蒸発損失が少ないため好ましい。一方、当該基油の１００℃における動粘度が２０．０ｍｍ２／ｓ以下であれば、粘性抵抗による動力損失を抑えることができ、燃費改善効果が得られるため好ましい。
【００２５】
また、本発明の一態様で用いる基油の粘度指数としては、温度変化による粘度変化を抑えると共に、省燃費性の向上の観点から、好ましくは８０以上、より好ましくは９０以上、更に好ましくは１００以上である。
なお、本発明の一態様の潤滑油組成物において、２種以上の基油を組み合わせた混合油を用いる場合、当該混合油の動粘度及び粘度指数が上記範囲であることが好ましい。
【００２６】
本発明の一態様の潤滑油組成物において、基油の含有量は、当該潤滑油組成物の全量（１００質量％）基準で、好ましくは５５質量％以上、より好ましくは６０質量％以上、更に好ましくは６５質量％以上、より更に好ましくは７０質量％以上であり、また、好ましくは９９質量％以下、より好ましくは９５質量％以下である。
【００２７】
＜粘度指数向上剤（Ａ）＞
本発明の潤滑油組成物は、櫛形ポリマー（Ａ１）を含む粘度指数向上剤（Ａ）を含有する。
一般的な粘度指数向上剤であるＰＭＡ等を含有する潤滑油組成物は、高温高せん断条件下で使用すると、清浄性が低下することが知られている。
これに対して、本発明者らは、潤滑油組成物中に粘度指数向上剤として櫛形ポリマー（Ａ１）を配合することで、従来のＰＭＡ等とは異なり、逆に清浄性を向上させる効果があることを見出した。
その見地を基に、本発明者らは、更なる検討を重ね、櫛形ポリマー（Ａ１）を含む粘度指数向上剤（Ａ）と共に、アルカリ金属ホウ酸塩（Ｂ１）と有機金属系化合物（Ｂ２）とを含む清浄分散剤（Ｂ）と組み合わせて含有することで、高温での清浄性を著しく向上した潤滑油組成物となり得ることを見出し、本発明を完成させたものである。
【００２８】
なお、本発明の一態様で用いる粘度指数向上剤（Ａ）は、本発明の効果を損なわない範囲において、櫛形ポリマー（Ａ１）には該当しない他の樹脂分や、櫛形ポリマー（Ａ１）の合成時に使用した未反応の原料化合物、触媒、及び合成時に生じた櫛形ポリマーには該当しない樹脂分等の副生成物を含有してもよい。
なお、本明細書において、上記の「樹脂分」とは、重量平均分子量（Ｍｗ）が１０００以上で、一定の繰り返し単位を有する重合体を意味する。
【００２９】
櫛形ポリマー（Ａ１）には該当しない他の樹脂分としては、例えば、ポリメタクリレート、分散型ポリメタクリレート、オレフィン系共重合体（例えば、エチレン−プロピレン共重合体など）、分散型オレフィン系共重合体、スチレン系共重合体（例えば、スチレン−ジエン共重合体、スチレン−イソプレン共重合体など）等の櫛形ポリマーには該当しない重合体が挙げられる。
【００３０】
これらの他の樹脂分は、粘度指数向上剤（Ａ）としてではなく、例えば、ポリメタクリレート系化合物であれば、流動点降下剤等の汎用添加剤として含有する場合もある。
ただし、本発明の一態様の潤滑油組成物において、当該潤滑油組成物の高温高せん断条件下での清浄性の低下を抑制する観点から、櫛形ポリマー（Ａ１）には該当しない他の樹脂分（特に、ポリメタクリレート系化合物）の含有量は、少ない程好ましい。
櫛形ポリマー（Ａ１）には該当しないポリメタクリレート系化合物の含有量は、潤滑油組成物中に含まれる櫛形ポリマー（Ａ１）１００質量部に対して、好ましくは０〜３０質量部、より好ましくは０〜２５質量部、より好ましくは０〜２０質量部、更に好ましくは０〜１５質量部、更に好ましくは０〜１０質量部、より更に好ましくは０〜５質量部である。
【００３１】
また、上述の副生成物の含有量は、粘度指数向上剤（Ａ）中の固形分の全量（１００質量％）基準で、好ましくは１０質量％以下、より好ましくは５質量％以下、更に好ましくは１質量％以下、より更に好ましくは０．１質量％以下である。
なお、上記の「粘度指数向上剤（Ａ）中の固形分」とは、粘度指数向上剤（Ａ）から希釈油を除いた成分を意味し、櫛形ポリマー（Ａ１）だけでなく、上述の櫛形ポリマー（Ａ１）には該当しない他の樹脂分や副生成物も含まれる。
【００３２】
本発明の一態様で用いる粘度指数向上剤（Ａ）中の櫛形ポリマー（Ａ１）の含有量は、粘度指数向上剤（Ａ）中の前記固形分の全量（１００質量％）基準で、好ましくは６０〜１００質量％、より好ましくは７０〜１００質量％、より好ましくは８０〜１００質量％、更に好ましくは９０〜１００質量％、更に好ましくは９５〜１００質量％、より更に好ましくは９９〜１００質量％である。
【００３３】
本発明の一態様で用いる粘度指数向上剤（Ａ）は、樹脂分として、櫛形ポリマー（Ａ１）を含むものであるが、通常はハンドリング性や上述の基油への溶解性を考慮し、この櫛形ポリマー（Ａ１）等の樹脂分を含む前記固形分が、鉱油や合成油等の希釈油により溶解された溶液の形態で市販されていることが多い。
本発明の一態様で用いる粘度指数向上剤（Ａ）が上記溶液の形態である場合、当該溶液の前記固形分濃度としては、当該溶液の全量（１００質量％）基準で、通常１０〜５０質量％である。
【００３４】
本発明の一態様の潤滑油組成物において、粘度指数向上剤（Ａ）の含有量は、粘度特性を向上させ、省燃費性能を良好とする観点から、当該潤滑油組成物の全量（１００質量％）基準で、好ましくは０．１〜２０質量％、より好ましくは０．１２〜１０質量％、より好ましくは０．１５〜７質量％、更に好ましくは０．２〜５質量％、より更に好ましくは０．２５〜３質量％である。
なお、本明細書において、上記「粘度指数向上剤（Ａ）の含有量」は、櫛形ポリマー（Ａ１）や上述の他の樹脂分を含む固形分量であって、希釈油の質量は含まれない。
【００３５】
以下、本発明の一態様で用いる粘度指数向上剤（Ａ）が含有する「櫛形ポリマー（Ａ１）」について説明する。
【００３６】
＜櫛形ポリマー（Ａ１）＞
本発明で用いる粘度指数向上剤（Ａ）が含有する「櫛形ポリマー」とは、高分子量の側鎖が出ている三叉分岐点を主鎖に数多くもつ構造を有するポリマーを指す。
このような構造を有する櫛形ポリマー（Ａ１）としては、マクロモノマー（Ｉ’）に由来する構成単位（Ｉ）を少なくとも有する重合体が好ましい。この構成単位（Ｉ）が、上記の「高分子量の側鎖」に該当する。
なお、本発明において、上記の「マクロモノマー」とは、重合性官能基を有する高分子量モノマーのことを意味し、末端に重合性官能基を有する高分子量モノマーであることが好ましい。
【００３７】
マクロモノマー（Ｉ’）の数平均分子量（Ｍｎ）としては、好ましくは２００以上、より好ましくは５００以上、更に好ましくは６００以上、より更に好ましくは７００以上であり、また、好ましくは２００，０００以下、より好ましくは１００，０００以下、更に好ましくは５０，０００以下、より更に好ましくは２０，０００以下である。
【００３８】
マクロモノマー（Ｉ’）が有する重合性官能基としては、例えば、アクリロイル基（ＣＨ２＝ＣＨ−ＣＯＯ−）、メタクリロイル基（ＣＨ２＝ＣＣＨ３−ＣＯＯ−）、エテニル基（ＣＨ２＝ＣＨ−）、ビニルエーテル基（ＣＨ２＝ＣＨ−Ｏ−）、アリル基（ＣＨ２＝ＣＨ−ＣＨ２−）、アリルエーテル基（ＣＨ２＝ＣＨ−ＣＨ２−Ｏ−）、ＣＨ２＝ＣＨ−ＣＯＮＨ−で表される基、ＣＨ２＝ＣＣＨ３−ＣＯＮＨ−で表される基等が挙げられる。
【００３９】
マクロモノマー（Ｉ’）は、上記重合性官能基以外に、例えば、以下の一般式（ｉ）〜（iii）で表される繰り返し単位を１種以上有していてもよい。
【化１】
0006572900.tif 000002
【００４０】
上記一般式（ｉ）中、Ｒ１は、炭素数１〜１０の直鎖又は分岐のアルキレン基を示し、具体的には、メチレン基、エチレン基、１，２−プロピレン基、１，３−プロピレン基、１，２−ブチレン基、１，３−ブチレン基、１，４−ブチレン基、ペンチレン基、ヘキシレン基、ヘプチレン基、オクチレン基、ノニレン基、デシレン基、イソプロピル基、イソブチル基、２−エチルヘキシレン基等が挙げられる。
上記一般式（ii）中、Ｒ２は、炭素数２〜４の直鎖又は分岐のアルキレン基を示し、具体的には、エチレン基、１，２−プロピレン基、１，３−プロピレン基、１，２−ブチレン基、１，３−ブチレン基、１，４−ブチレン基等が挙げられる。
上記一般式（iii）中、Ｒ３は、水素原子又はメチル基を示す。
また、Ｒ４は炭素数１〜１０の直鎖又は分岐のアルキル基を示し、具体的には、メチル基、エチル基，ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、イソプロピル基、イソブチル基、ｓｅｃ−ブチル基、ｔ−ブチル基、イソペンチル基、ｔ−ペンチル基、イソヘキシル基、ｔ−ヘキシル基、イソヘプチル基、ｔ−ヘプチル基、２−エチルヘキシル基、イソオクチル基、イソノニル基、イソデシル基等が挙げられる。
なお、上記一般式（ｉ）〜（iii）で表される繰り返し単位をそれぞれ複数有する場合には、Ｒ１、Ｒ２、Ｒ３、Ｒ４は、それぞれ同一であってもよく、互いに異なるものであってもよい。
【００４１】
なお、マクロモノマー（Ｉ’）が、前記一般式（ｉ）〜（iii）から選ばれる２種以上の繰り返し単位を有する共重合体である場合、共重合の形態としては、ブロック共重合体であってもよく、ランダム共重合体であってもよい。
【００４２】
本発明の一態様で用いる櫛形ポリマー（Ａ１）は、１種類のマクロモノマー（Ｉ’）に由来する構成単位（Ｉ）のみからなる単独重合体でもよく、２種類以上のマクロモノマー（Ｉ’）に由来する構成単位（Ｉ）を含む共重合体であってもよい。
また、本発明の一態様で用いる櫛形ポリマー（Ａ１）は、マクロモノマー（Ｉ’）に由来する構成単位（Ｉ）と共に、マクロモノマー（Ｉ’）以外の他のモノマー（II’）に由来する構成単位（II）を含む共重合体であってもよい。
このような櫛形ポリマー（Ａ１）の具体的な構造としては、モノマー（II’）に由来する構成単位（II）を含む主鎖に対して、マクロモノマー（Ｉ’）に由来する構成単位（Ｉ）を含む側鎖を有する共重合体が好ましい。
【００４３】
モノマー（II’）としては、例えば、下記一般式（ａ１）で表される単量体（ａ）、アルキル（メタ）アクリレート（ｂ）、窒素原子含有ビニル単量体（ｃ）、水酸基含有ビニル単量体（ｄ）、リン原子含有単量体（ｅ）、脂肪族炭化水素系ビニル単量体（ｆ）、脂環式炭化水素系ビニル単量体（ｇ）、芳香族炭化水素系ビニル単量体（ｈ）、ビニルエステル類（ｉ）、ビニルエーテル類（ｊ）、ビニルケトン類（ｋ）、エポキシ基含有ビニル単量体（ｌ）、ハロゲン元素含有ビニル単量体（ｍ）、不飽和ポリカルボン酸のエステル（ｎ）、（ジ）アルキルフマレート（ｏ）、及び（ジ）アルキルマレエート（ｐ）等が挙げられる。
なお、モノマー（II’）としては、芳香族炭化水素系ビニル単量体（ｈ）以外の単量体が好ましい。
【００４４】
（下記一般式（ａ１）で表される単量体（ａ））
【化２】
0006572900.tif 000003
【００４５】
上記一般式（ａ１）中、Ｒ１１は、水素原子又はメチル基を示す。
Ｒ１２は、単結合、炭素数１〜１０の直鎖又は分岐のアルキレン基、−Ｏ−、もしくは−ＮＨ−を示す。
Ｒ１３は、炭素数２〜４の直鎖又は分岐のアルキレン基を示す。また、ｎは１以上の整数（好ましくは１〜２０の整数、より好ましくは１〜５の整数）を示す。なお、ｎが２以上の整数の場合、複数のＲ１３は、同一であってもよく、異なっていてもよく、さらに、(Ｒ１３Ｏ)ｎ部分は、ランダム結合でもブロック結合でもよい。
Ｒ１４は、炭素数１〜６０（好ましくは１０〜５０、より好ましくは２０〜４０）の直鎖又は分岐のアルキル基を示す。
上記の「炭素数１〜１０の直鎖又は分岐のアルキレン基」、「炭素数２〜４の直鎖又は分岐のアルキレン基」、及び「炭素数１〜６０の直鎖又は分岐のアルキル基」の具体的な基としては、上述の一般式（ｉ）〜（iii）に関する記載で例示した基と同じものが挙げられる。
【００４６】
（アルキル（メタ）アクリレート（ｂ））
アルキル（メタ）アクリレート（ｂ）としては、例えば、メチル（メタ）アクリレート、エチル（メタ）アクリレート、ｎ−プロピル（メタ）アクリレート、イソ−プロピル（メタ）アクリレート、ｎ−ブチル（メタ）アクリレート、ｔ−ブチル（メタ）アクリレート、ペンチル（メタ）アクリレート、ヘキシル（メタ）アクリレート、２−エチルヘキシル（メタ）アクリレート、ヘプチル（メタ）アクリレート、２−ｔ−ブチルヘプチル（メタ）アクリレート、オクチル（メタ）アクリレート、３−イソプロピルヘプチル（メタ）アクリレート等が挙げられる。
アルキル（メタ）アクリレート（ｂ）が有するアルキル基の炭素数としては、好ましくは１〜３０、より好ましくは１〜２６、更に好ましくは１〜１０である。
【００４７】
（窒素原子含有ビニル単量体（ｃ））
窒素原子含有ビニル単量体（ｃ）としては、例えば、アミド基含有ビニル単量体（ｃ１）、ニトロ基含有単量体（ｃ２）、１級アミノ基含有ビニル単量体（ｃ３）、２級アミノ基含有ビニル単量体（ｃ４）、３級アミノ基含有ビニル単量体（ｃ５）、及びニトリル基含有ビニル単量体（ｃ６）等が挙げられる。
【００４８】
アミド基含有ビニル単量体（ｃ１）としては、例えば、（メタ）アクリルアミド；Ｎ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等のモノアルキルアミノ（メタ）アクリルアミド；Ｎ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等のモノアルキルアミノアルキル（メタ）アクリルアミド；Ｎ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等のジアルキルアミノ（メタ）アクリルアミド；Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等のジアルキルアミノアルキル（メタ）アクリルアミド；Ｎ−ビニルホルムアミド、Ｎ−ビニルアセトアミド、Ｎ−ビニル−ｎ−又はイソプロピオニルアミド及びＮ−ビニルヒドロキシアセトアミド等のＮ−ビニルカルボン酸アミド；等が挙げられる。
【００４９】
ニトロ基含有単量体（ｃ２）としては、例えば、４−ニトロスチレン等が挙げられる。
【００５０】
１級アミノ基含有ビニル単量体（ｃ３）としては、例えば、（メタ）アリルアミン及びクロチルアミン等の炭素数３〜６のアルケニル基を有するアルケニルアミン；アミノエチル（メタ）アクリレート等の炭素数２〜６のアルキル基を有するアミノアルキル（メタ）アクリレート；等が挙げられる。
【００５１】
２級アミノ基含有ビニル単量体（ｃ４）としては、例えば、ｔ−ブチルアミノエチル（メタ）アクリレート及びメチルアミノエチル（メタ）アクリレート等のモノアルキルアミノアルキル（メタ）アクリレート；ジ（メタ）アリルアミン等の炭素数６〜１２のジアルケニルアミン；等が挙げられる。
【００５２】
３級アミノ基含有ビニル単量体（ｃ５）としては、例えば、ジメチルアミノエチル（メタ）アクリレート及びジエチルアミノエチル（メタ）アクリレート等のジアルキルアミノアルキル（メタ）アクリレート；モルホリノエチル（メタ）アクリレート等の窒素原子を有する脂環式（メタ）アクリレート；ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等の芳香族ビニル系単量体；及びこれらの塩酸塩、硫酸塩、リン酸塩又は低級アルキル（炭素数１〜８）モノカルボン酸（酢酸及びプロピオン酸等）塩；等が挙げられる。
【００５３】
ニトリル基含有ビニル単量体（ｃ６）としては、例えば、（メタ）アクリロニトリル等が挙げられる。
【００５４】
（水酸基含有ビニル単量体（ｄ））
水酸基含有ビニル単量体（ｄ）としては、例えば、ヒドロキシル基含有ビニル単量体（ｄ１）、及びポリオキシアルキレン鎖含有ビニル単量体（ｄ２）等が挙げられる。
【００５５】
ヒドロキシル基含有ビニル単量体（ｄ１）としては、例えば、ｐ−ヒドロキシスチレン等のヒドロキシル基含有芳香族ビニル単量体；２−ヒドロキシエチル（メタ）アクリレート、及び２−又は３−ヒドロキシプロピル（メタ）アクリレート等の炭素数２〜６のアルキル基を有するヒドロキシアルキル（メタ）アクリレート；Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等の炭素数１〜４のアルキル基を有するモノ−又はジ−ヒドロキシアルキル置換（メタ）アクリルアミド；ビニルアルコール；（メタ）アリルアルコール、クロチルアルコール、イソクロチルアルコール、１−オクテノール及び１−ウンデセノール等の炭素数３〜１２のアルケノール；１−ブテン−３−オール、２−ブテン−１−オール及び２−ブテン−１，４−ジオール等の炭素数４〜１２のアルケンモノオール又はアルケンジオール；２−ヒドロキシエチルプロペニルエーテル等の炭素数１〜６のアルキル基及び炭素数３〜１０のアルケニル基を有するヒドロキシアルキルアルケニルエーテル；グリセリン、ペンタエリスリトール、ソルビトール、ソルビタン、ジグリセリン、糖類及び蔗糖等の多価アルコールのアルケニルエーテル又は（メタ）アクリレート；等が挙げられる。
【００５６】
ポリオキシアルキレン鎖含有ビニル単量体（ｄ２）としては、例えば、ポリオキシアルキレングリコール（アルキレン基の炭素数２〜４、重合度２〜５０）、ポリオキシアルキレンポリオール（上述の多価アルコールのポリオキシアルキレンエーテル（アルキレン基の炭素数２〜４、重合度２〜１００））、ポリオキシアルキレングリコール又はポリオキシアルキレンポリオールのアルキル（炭素数１〜４）エーテルのモノ（メタ）アクリレート［ポリエチレングリコール（Ｍｎ：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート、ラウリルアルコールエチレンオキサイド付加物（２〜３０モル）（メタ）アクリレート及びモノ（メタ）アクリル酸ポリオキシエチレン（Ｍｎ：１５０〜２３０）ソルビタン等］等が挙げられる。
【００５７】
（リン原子含有単量体（ｅ））
リン原子含有単量体（ｅ）としては、例えば、リン酸エステル基含有単量体（ｅ１）、及びホスホノ基含有単量体（ｅ２）等が挙げられる。
【００５８】
リン酸エステル基含有単量体（ｅ１）としては、例えば、（メタ）アクリロイロキシエチルホスフェート及び（メタ）アクリロイロキシイソプロピルホスフェート等の炭素数２〜４のアルキル基を有する（メタ）アクリロイロキシアルキルリン酸エステル；リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等の炭素数２〜１２のアルケニル基を有するリン酸アルケニルエステル；等が挙げられる。
【００５９】
ホスホノ基含有単量体（ｅ２）としては、例えば、（メタ）アクリロイロキシエチルホスホン酸等の炭素数２〜４のアルキル基を有する（メタ）アクリロイロキシアルキルホスホン酸；ビニルホスホン酸、アリルホスホン酸及びオクテニルホスホン酸等の炭素数２〜１２のアルケニル基を有するアルケニルホスホン酸；等が挙げられる。
【００６０】
（脂肪族炭化水素系ビニル単量体（ｆ））
脂肪族炭化水素系ビニル単量体（ｆ）としては、例えば、エチレン、プロピレン、ブテン、イソブチレン、ペンテン、ヘプテン、ジイソブチレン、オクテン、ドデセン及びオクタデセン等の炭素数２〜２０のアルケン；ブタジエン、イソプレン、１，４−ペンタジエン、１，６−ヘプタジエン及び１，７−オクタジエン等の炭素数４〜１２のアルカジエン；等が挙げられる。
脂肪族炭化水素系ビニル単量体（ｆ）の炭素数としては、好ましくは２〜３０、より好ましくは２〜２０、更に好ましくは２〜１２である。
【００６１】
（脂環式炭化水素系ビニル単量体（ｇ））
脂環式炭化水素系ビニル単量体（ｇ）としては、例えば、シクロヘキセン、（ジ）シクロペンタジエン、ピネン、リモネン、ビニルシクロヘキセン及びエチリデンビシクロヘプテン等が挙げられる。
脂環式炭化水素系ビニル単量体（ｇ）の炭素数としては、好ましくは３〜３０、より好ましくは３〜２０、更に好ましくは３〜１２である。
【００６２】
（芳香族炭化水素系ビニル単量体（ｈ））
芳香族炭化水素系ビニル単量体（ｈ）としては、例えば、スチレン、α−メチルスチレン、α−エチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、ｐ−メチルスチレン、モノクロロスチレン、ジクロロスチレン、トリブロモスチレン、テトラブロモスチレン、４−クロチルベンゼン、インデン及び２−ビニルナフタレン等が挙げられる。
芳香族炭化水素系ビニル単量体（ｈ）の炭素数としては、好ましくは８〜３０、より好ましくは８〜２０、更に好ましくは８〜１８である。
【００６３】
（ビニルエステル類（ｉ））
ビニルエステル類（ｉ）としては、例えば、酢酸ビニル、プロピオン酸ビニル、酪酸ビニル及びオクタン酸ビニル等の炭素数２〜１２の飽和脂肪酸のビニルエステル等が挙げられる。
【００６４】
（ビニルエーテル類（ｊ））
ビニルエーテル類（ｊ）としては、例えば、メチルビニルエーテル、エチルビニルエーテル、プロピルビニルエーテル、ブチルビニルエーテル、及び２−エチルヘキシルビニルエーテル等の炭素数１〜１２のアルキルビニルエーテル；フェニルビニルエーテル等の炭素数６〜１２のアリールビニルエーテル；ビニル−２−メトキシエチルエーテル、及びビニル−２−ブトキシエチルエーテル等の炭素数１〜１２のアルコキシアルキルビニルエーテル；等が挙げられる。
【００６５】
（ビニルケトン類（ｋ））
ビニルケトン類（ｋ）としては、例えば、メチルビニルケトン、及びエチルビニルケトン等の炭素数１〜８のアルキルビニルケトン；フェニルビニルケトン等の炭素数６〜１２のアリールビニルケトン等が挙げられる。
【００６６】
（エポキシ基含有ビニル単量体（ｌ））
エポキシ基含有ビニル単量体（ｌ）としては、例えば、グリシジル（メタ）アクリレート、グリシジル（メタ）アリルエーテル等が挙げられる。
【００６７】
（ハロゲン元素含有ビニル単量体（ｍ））
ハロゲン元素含有ビニル単量体（ｍ）としては、例えば、塩化ビニル、臭化ビニル、塩化ビニリデン、塩化（メタ）アリル及びハロゲン化スチレン（ジクロロスチレン等）等が挙げられる。
【００６８】
（不飽和ポリカルボン酸のエステル（ｎ））
不飽和ポリカルボン酸のエステル（ｎ）としては、例えば、不飽和ポリカルボン酸のアルキルエステル、不飽和ポリカルボン酸のシクロアルキルエステル、不飽和ポリカルボン酸のアラルキルエステル等が挙げられ、不飽和カルボン酸としては、例えば、マレイン酸、フマール酸、イタコン酸等が挙げられる。
【００６９】
（（ジ）アルキルフマレート（ｏ））
（ジ）アルキルフマレート（ｏ）としては、例えば、モノメチルフマレート、ジメチルフマレート、モノエチルフマレート、ジエチルフマレート、メチルエチルフマレート、モノブチルフマレート、ジブチルフマレート、ジペンチルフマレート、ジヘキシルフマレート等が挙げられる。
【００７０】
（（ジ）アルキルマレエート（ｐ））
（ジ）アルキルマレエート（ｐ）としては、例えば、モノメチルマレエート、ジメチルマレエート、モノエチルマレエート、ジエチルマレエート、メチルエチルマレエート、モノブチルマレエート、ジブチルマレエート等が挙げられる。
【００７１】
本発明の一態様で用いる櫛形ポリマーの重量平均分子量（Ｍｗ）としては、粘度特性を向上させ、省燃費性能を良好とする観点から、好ましくは１千〜１００万、より好ましくは５千〜８０万、更に好ましくは１万〜６５万、より更に好ましくは３万〜５０万である。
【００７２】
本発明の一態様で用いる櫛形ポリマーの分子量分布（Ｍｗ／Ｍｎ）としては、粘度特性を向上させ、省燃費性能を良好とする観点から、好ましくは８．００以下、より好ましくは７．００以下、より好ましくは６．００以下、更に好ましくは５．６０以下、更に好ましくは５．００以下、より更に好ましくは４．００以下である。なお、当該櫛形ポリマーの分子量分布が小さくなる程、粘度特性が向上し、省燃費性能が向上する傾向にある。
また、櫛形ポリマーの分子量分布の下限値としては特に制限はないが、櫛形ポリマーの分子量分布（Ｍｗ／Ｍｎ）としては、通常１．０１以上、好ましくは１．０５以上、より好ましくは１．１０以上である。
【００７３】
本発明の一態様の潤滑油組成物において、櫛形ポリマー（Ａ１）の含有量は、粘度特性を向上させ、省燃費性能を良好とする観点から、当該潤滑油組成物の全量（１００質量％）基準で、好ましくは０．１〜２０質量％、より好ましくは０．１２〜１０質量％、より好ましくは０．１５〜７質量％、更に好ましくは０．２〜５質量％、より更に好ましくは０．２５〜３質量％である。
なお、本明細書において、上記「櫛形ポリマー（Ａ１）の含有量」には、当該櫛形ポリマーと共に含有される場合がある希釈油等の質量は含まれない。
【００７４】
＜清浄分散剤（Ｂ）＞
本発明の潤滑油組成物は、アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）を含有する。
本発明の一態様において、清浄分散剤（Ｂ）は、上記成分（Ｂ１）及び（Ｂ２）を含むものであればよいが、より清浄性を向上させる観点から、さらに、アルケニルコハク酸イミド及びホウ素変性アルケニルコハク酸イミドから選ばれる１種以上のアルケニルコハク酸イミド系化合物（Ｂ３）（成分（Ｂ３））を含むことが好ましい。
なお、清浄分散剤（Ｂ）としては、上記成分（Ｂ１）〜（Ｂ３）以外の他の清浄分散剤を含有してもよい。
【００７５】
本発明の一態様において、清浄分散剤（Ｂ）中の上記成分（Ｂ１）及び（Ｂ２）の合計含有量は、清浄分散剤（Ｂ）の全量（１００質量％）基準で、通常１〜１００質量％、好ましくは１〜８０質量％、より好ましくは２〜７０質量％、更に好ましくは５〜６０質量％、より更に好ましくは１０〜５０質量％である。
【００７６】
本発明の一態様において、清浄分散剤（Ｂ）中の上記成分（Ｂ１）〜（Ｂ３）の合計含有量は、清浄分散剤（Ｂ）の全量（１００質量％）基準で、好ましくは７０〜１００質量％、より好ましくは８０〜１００質量％、更に好ましくは９０〜１００質量％、より更に好ましくは９５〜１００質量％である。
【００７７】
本発明の一態様の潤滑油組成物において、清浄分散剤（Ｂ）の含有量は、当該潤滑油組成物の全量（１００質量％）基準で、好ましくは０．０１〜２０質量％、より好ましくは０．０５〜１５質量％、更に好ましくは０．１〜１０質量％である。
【００７８】
［アルカリ金属ホウ酸塩（Ｂ１）］
本発明の潤滑油組成物は、清浄分散剤（Ｂ）として、アルカリ金属ホウ酸塩（Ｂ１）を含む。
アルカリ金属ホウ酸塩（Ｂ１）に含まれるアルカリ金属原子としては、上述のものが挙げられるが、高温での清浄性の向上の観点から、カリウム原子又はナトリウム原子が好ましく、カリウム原子がより好ましい。
なお、ホウ酸塩は、ホウ素と酸素とを含み、且つ任意で水和された電気的に陽性な化合物（塩）である。ホウ酸塩の例として、ホウ酸イオン（ＢＯ３３−）の塩やメタホウ酸イオン（ＢＯ２−）の塩等が挙げられる。なお、ホウ酸イオン（ＢＯ３３−）は、例えば、三ホウ酸イオン（Ｂ３Ｏ５−）、四ホウ酸イオン（Ｂ４Ｏ７２−）、五ホウ酸イオン（Ｂ５Ｏ８−）等の様々な多量体イオン（ｐｏｌｙｍｅｒ  ｉｏｎ）を形成し得る。
【００７９】
本発明の一態様で用いるアルカリ金属ホウ酸塩（Ｂ１）としては、例えば、四ホウ酸ナトリウム、五ホウ酸ナトリウム、六ホウ酸ナトリウム、八ホウ酸ナトリウム、二ホウ酸ナトリウム、メタホウ酸カリウム、三ホウ酸カリウム、四ホウ酸カリウム、五ホウ酸カリウム、六ホウ酸カリウム、八ホウ酸カリウム等が挙げられ、下記一般式（Ｂ１−１）で表されるアルカリ金属ホウ酸塩が好ましい。
一般式（Ｂ１−１）：  ＭＯ１／２・ｍＢＯ３／２
上記一般式（Ｂ１−１）中、Ｍはアルカリ金属原子を示し、カリウム原子（Ｋ）又はナトリウム原子（Ｎａ）が好ましく、カリウム原子（Ｋ）がより好ましい。ｍは２．５〜４．５の数を示す。
【００８０】
また、本発明の一態様で用いるアルカリ金属ホウ酸塩（Ｂ１）は、水和物であってもよい。
本発明の一態様で成分（Ｂ１）として使用し得る水和物としては、例えば、Ｎａ２Ｂ４Ｏ７・１０Ｈ２Ｏ、ＮａＢＯ２・４Ｈ２Ｏ、ＫＢ３Ｏ５・４Ｈ２Ｏ、Ｋ２Ｂ４Ｏ７・５Ｈ２Ｏ、Ｋ２Ｂ４Ｏ７・５Ｈ２Ｏ、Ｋ２Ｂ４Ｏ７・８Ｈ２Ｏ、ＫＢ５Ｏ８・４Ｈ２Ｏ等が挙げられ、下記一般式（Ｂ１−２）で表されるアルカリ金属ホウ酸塩水和物が好ましい。
一般式（Ｂ１−２）：  ＭＯ１／２・ｍＢＯ３／２・ｎＨ２Ｏ
上記一般式（Ｂ１−２）中、Ｍ、ｍは前記一般式（Ｂ１−１）と同じであり、ｎは０．５〜２．４の数を示す。
【００８１】
本発明の一態様で用いるこれらのアルカリ金属ホウ酸塩（Ｂ１）中のホウ素原子とアルカリ金属原子との比〔ホウ素原子／アルカリ金属原子〕としては、好ましくは０．１／１以上、より好ましくは０．３／１以上、更に好ましくは０．５／１以上、より更に好ましくは０．７／１以上であり、また、好ましくは５／１以下、より好ましくは４．５／１以下、更に好ましくは３．２５／１以下、より更に好ましくは２．８／１以下である。
【００８２】
本発明の一態様で用いるこれらのアルカリ金属ホウ酸塩（Ｂ１）は、単独で又は２種以上を併用してもよい。
これらの中でも、高温での清浄性の向上の観点、及び基油への溶解性の観点から、三ホウ酸カリウム（ＫＢ３Ｏ５）及びその水和物（ＫＢ３Ｏ５・ｎＨ２Ｏ（ｎは０．５〜２．４の数））が好ましい。
【００８３】
本発明の一態様の潤滑油組成物において、当該潤滑油組成物の全量（１００質量％）基準でのアルカリ金属ホウ酸塩（Ｂ１）の含有量は、ホウ素原子換算で、好ましくは０．０１〜０．１０質量％、より好ましくは０．０１〜０．０７質量％、更に好ましくは０．０１〜０．０５質量％、より更に好ましくは０．０１２〜０．０３質量％、特に好ましくは０．０１５〜０．０２８である。
当該含有量が０．０１質量％以上であれば、高温での清浄性に優れた潤滑油組成物とすることができる。一方、当該含有量が０．１０質量％以下であれば、アルカリ金属ホウ酸塩（Ｂ１）を潤滑油組成物に分散させやすい。
【００８４】
本発明の一態様の潤滑油組成物中のホウ素原子の全量（１００質量％）基準に対する、アルカリ金属ホウ酸塩（Ｂ１）に由来するホウ素原子の含有量は、好ましくは２５質量％以上、より好ましくは３０質量％以上、更に好ましくは３５質量％以上であり、また、通常１００質量％以下、好ましくは９０質量％以下、より好ましくは８０質量％以下、更に好ましくは７０質量％以下である。
【００８５】
また、本発明の潤滑油組成物において、当該潤滑油組成物の全量（１００質量％）基準でのアルカリ金属ホウ酸塩（Ｂ１）の含有量は、上記観点から、アルカリ金属原子換算で、好ましくは０．０１〜０．１０質量％、より好ましくは０．０１〜０．０７質量％、更に好ましくは０．０１〜０．０５質量％、より更に好ましくは０．０１２〜０．０４質量％、特に好ましくは０．０１５〜０．０３５％である。
【００８６】
櫛形ポリマー（Ａ１）の含有量と、アルカリ金属ホウ酸塩（Ｂ１）のホウ素原子換算での含有量との比〔Ａ１／Ｂ１〕は、好ましくは１２／１〜１００／１、より好ましくは１５／１〜８５／１、更に好ましくは２０／１〜７０／１、より更に好ましくは２５／１〜６０／１である。
当該比が１２／１以上であれば、粘度特性を良好とし、省燃費性能を向上させることができる。一方、当該比が１００／１以下であれば、清浄性をより向上させた潤滑油組成物とすることができる。
なお、本明細書において、上記の「成分（Ｂ１）のホウ素原子換算での含有量」は、「成分（Ｂ１）に由来のホウ素原子の含有量」と同じである。
【００８７】
また、上記と同様の観点から、櫛形ポリマー（Ａ１）の含有量と、アルカリ金属ホウ酸塩（Ｂ１）のアルカリ金属原子換算での含有量との比〔Ａ１／Ｂ１〕は、上記観点から、好ましくは１２／１〜１００／１、より好ましくは１５／１〜８５／１、更に好ましくは２０／１〜７０／１、より更に好ましくは２５／１〜６０／１である。
なお、本明細書において、上記の「成分（Ｂ１）のアルカリ金属原子換算での含有量」は、「成分（Ｂ１）に由来のアルカリ金属原子の含有量」と同じである。
【００８８】
［有機金属系化合物（Ｂ２）］
本発明の潤滑油組成物は、清浄分散剤（Ｂ）として、アルカリ金属原子及びアルカリ土類金属原子から選ばれる金属原子を含有する有機金属系化合物（Ｂ２）を含む。
本発明において、「有機金属系化合物」とは、少なくとも上記金属原子、炭素原子、及び水素原子を含む化合物を意味し、当該化合物は、さらに酸素原子、硫黄原子、及び窒素原子等を含有してもよい。
【００８９】
本発明の一態様で用いる有機金属系化合物（Ｂ２）に含まれる金属原子としては、上述のアルカリ金属原子及びアルカリ土類金属原子が挙げられるが、高温での清浄性の向上の観点から、ナトリウム原子、カルシウム原子、マグネシウム原子、又はバリウム原子が好ましく、カルシウム原子又はマグネシウム原子がより好ましく、カルシウム原子が更に好ましい。
【００９０】
本発明の一態様で用いる有機金属系化合物（Ｂ２）としては、アルカリ金属原子及びアルカリ土類金属原子から選ばれる金属原子を含有する、金属サリシレート、金属フェネート、及び金属スルホネートから選ばれる１種以上であることが好ましく、金属スルホネートと、金属サリシレート及び金属フォネートから選ばれる１種以上との混合物であることがより好ましく、金属スルホネートと金属サリシレートとの混合物であることが更に好ましい。
【００９１】
当該金属サリシレートとしては、下記一般式（Ｂ２−１）で表される化合物が好ましく、当該金属フェネートとしては、下記一般式（Ｂ２−２）で表される化合物が好ましく、当該金属スルホネートとしては、下記一般式（Ｂ２−３）で表される化合物が好ましい。
【００９２】
【化３】
0006572900.tif 000004
【００９３】
上記一般式（Ｂ２−１）〜（Ｂ２−３）中、Ｍは、アルカリ金属原子及びアルカリ土類金属原子から選ばれる金属原子であり、ナトリウム原子（Ｎａ）、カルシウム原子（Ｃａ）、マグネシウム原子（Ｍｇ）、又はバリウム原子（Ｂａ）が好ましく、カルシウム原子（Ｃａ）又はマグネシウム原子（Ｍｇ）がより好ましく、カルシウム原子（Ｃａ）が更に好ましい。ｐはＭの価数であり、１又は２である。ｑは、０以上の整数であり、好ましくは０〜３の整数である。Ｒは、水素原子又は炭素数１〜１８の炭化水素基である。
Ｒとして選択し得る炭化水素基としては、例えば、炭素数１〜１８のアルキル基、炭素数１〜１８のアルケニル基、環形成炭素数３〜１８のシクロアルキル基、環形成炭素数６〜１８のアリール基、炭素数７〜１８のアルキルアリール基、炭素数７〜１８のアリールアルキル基等が挙げられる。
【００９４】
本発明の一態様で用いる有機金属系化合物（Ｂ２）は、中性塩、塩基性塩、過塩基性塩及びこれらの混合物のいずれであってもよいが、中性塩と、塩基性塩及び過塩基性塩から選ばれる１種以上との混合物が好ましい。
当該混合物において、中性塩と、塩基性塩及び過塩基性塩から選ばれる１種以上との比〔中性塩／（過）塩基性塩〕は、好ましくは１／９９〜９９／１、より好ましくは１０／９９〜９０／１０、更に好ましくは２０／８０〜８０／２０である。
【００９５】
本発明の一態様で用いる有機金属系化合物（Ｂ２）が中性塩である場合、当該中性塩の塩基価としては、好ましくは０〜３０ｍｇＫＯＨ／ｇ、より好ましくは０〜２５ｍｇＫＯＨ／ｇ、更に好ましくは０〜２０ｍｇＫＯＨ／ｇである。
本発明の一態様で用いる有機金属系化合物（Ｂ２）が塩基性塩又は過塩基性塩である場合、当該塩基性塩又は過塩基性塩の塩基価としては、好ましくは１００〜６００ｍｇＫＯＨ／ｇ、より好ましくは１２０〜５５０ｍｇＫＯＨ／ｇ、更に好ましくは１６０〜５００ｍｇＫＯＨ／ｇ、より更に好ましくは２００〜４５０ｍｇＫＯＨ／ｇである。
なお、本明細書において、「塩基価」とは、ＪＩＳ  Ｋ２５０１「石油製品および潤滑油−中和価試験方法」の７．に準拠して測定される過塩素酸法による塩基価を意味する。
【００９６】
本発明の一態様で用いるこれらの有機金属系化合物（Ｂ２）は、単独で又は２種以上を併用してもよい。
これらの中でも、高温での清浄性の向上の観点、及び基油への溶解性の観点から、中性塩である金属スルホネートと、金属サリシレート及び金属フェネートから選ばれる１種以上の塩基性塩又は過塩基性塩との混合物であることが好ましく、中性塩である金属スルホネートと塩基性塩又は過塩基性塩である金属サリシレートとの混合物であることがより好ましい。
【００９７】
本発明の一態様の潤滑油組成物において、当該潤滑油組成物の全量（１００質量％）基準での有機金属系化合物（Ｂ２）の含有量は、アルカリ金属原子及びアルカリ土類金属原子から選ばれる金属原子換算で、好ましくは０．０１〜０．２０質量％、より好ましくは０．０２〜０．１８質量％、更に好ましくは０．０３〜０．１５質量％、より更に好ましくは０．０５〜０．１３質量％である。
当該含有量が０．０１質量％以上であれば、高温での清浄性に優れた潤滑油組成物とすることができる。一方、当該含有量が０．２０質量％以下であれば、ＬＳＰＩ防止性を良好である潤滑油組成物とすることができる。
【００９８】
本発明の一態様の潤滑油組成物において、有機金属系化合物（Ｂ２）のアルカリ金属原子及びアルカリ土類金属原子から選ばれる金属原子換算での含有量と、アルカリ金属ホウ酸塩（Ｂ１）のホウ素原子換算での含有量との比〔（Ｂ２）／（Ｂ１）〕は、高温での清浄性に優れ、ＬＳＰＩ防止性が良好である潤滑油組成物とする観点から、好ましくは１／１〜１５／１、より好ましくは２／１〜１２／１、更に好ましくは３／１〜１０／１であり、より清浄性を向上させる観点からは、より更に好ましくは６／１〜１０／１であり、よりＬＳＰＩ防止性を向上させる観点からは、より更に好ましくは３／１〜５．５／１である。
なお、本明細書において、上記の「成分（Ｂ２）のアルカリ金属原子及びアルカリ土類金属原子から選ばれる金属原子換算での含有量」は、「成分（Ｂ２）に由来のアルカリ金属原子及びアルカリ土類金属原子から選ばれる金属原子の含有量」と同じである。
【００９９】
［アルケニルコハク酸イミド系化合物（Ｂ３）］
本発明の一態様の潤滑油組成物は、高温での清浄性をより向上させる観点から、清浄分散剤（Ｂ）として、アルケニルコハク酸イミド及びホウ素変性アルケニルコハク酸イミドから選ばれる１種以上のアルケニルコハク酸イミド系化合物（Ｂ３）を含むことが好ましい。
本発明の一態様において、成分（Ｂ３）は、モノイミド構造及びビスイミド構造を含む化合物である。
【０１００】
上記アルケニルコハク酸イミドとしては、下記一般式（Ｂ３−１）で表されるアルケニルコハク酸モノイミド、もしくは下記一般式（Ｂ３−２）で表されるアルケニルコハク酸ビスイミドが挙げられる。
また、ホウ素変性アルケニルコハク酸イミドとしては、下記一般式（Ｂ３−１）又は（Ｂ３−２）で表されるアルケニルコハク酸イミドのホウ素変性体が挙げられる。
【０１０１】
【化４】
0006572900.tif 000005
【０１０２】
上記一般式（Ｂ３−１）、（Ｂ３−２）中、ＲＡ、ＲＡ１及びＲＡ２は、それぞれ独立に、重量平均分子量（Ｍｗ）が５００〜３０００（好ましくは１０００〜３０００）のアルケニル基である。
ＲＢ、ＲＢ１及びＲＢ２は、それぞれ独立に、炭素数２〜５のアルキレン基である。
ｘ１は１〜１０の整数であり、好ましくは２〜５の整数、より好ましくは３又は４である。
ｘ２は０〜１０の整数であり、好ましくは１〜４の整数、より好ましくは２又は３である。
【０１０３】
ＲＡ、ＲＡ１及びＲＡ２として選択し得るアルケニル基としては、例えば、ポリブテニル基、ポリイソブテニル基、エチレン−プロピレン共重合体等が挙げられ、これらの中でも、ポリブテニル基又はポリイソブテニル基が好ましい。
【０１０４】
アルケニルコハク酸イミドは、例えば、ポリオレフィンと無水マレイン酸との反応で得られるアルケニルコハク酸無水物を、ポリアミンと反応させることで製造することができる。
上記ポリオレフィンは、例えば、炭素数２〜８のα−オレフィンから選ばれる１種又は２種以上を重合して得られる重合体が挙げられるが、イソブテンと１−ブテンとの共重合体が好ましい。
また、上記ポリアミンとしては、例えば、エチレンジアミン、プロピレンジアミン、ブチレンジアミン、ペンチレンジアミン等の単一ジアミン、ジエチレントリアミン、トリエチレンテトラミン、テトラエチレンペンタミン、ペンタエチレンヘキサミン、ジ（メチルエチレン）トリアミン、ジブチレントリアミン、トリブチレンテトラミン、及びペンタペンチレンヘキサミン等のポリアルキレンポリアミン；アミノエチルピペラジン等のピペラジン誘導体；等が挙げられる。
【０１０５】
ホウ素変性アルケニルコハク酸イミドは、例えば、上述のポリオレフィンと無水マレイン酸との反応で得られるアルケニルコハク酸無水物を、上述のポリアミン及びホウ素化合物と反応させることで製造することができる。
上記ホウ素化合物としては、例えば、酸化ホウ素、ハロゲン化ホウ素、ホウ酸、ホウ酸無水物、ホウ酸エステル、ホウ酸のアンモニウム塩等が挙げられる。
【０１０６】
本発明の一態様において、ホウ素変性アルケニルコハク酸イミドを構成するホウ素原子と窒素原子の比率〔Ｂ／Ｎ〕としては、高温での清浄性を向上させる観点から、好ましくは０．５以上、より好ましくは０．６以上、更に好ましくは０．８以上、より更に好ましくは０．９以上である。
【０１０７】
本発明の一態様の潤滑油組成物において、当該潤滑油組成物の全量（１００質量％）基準でのアルケニルコハク酸イミド系化合物（Ｂ３）の含有量は、窒素原子換算で、好ましくは０．００１〜０．３０質量％、より好ましくは０．００５〜０．２５質量％、より好ましくは０．０１〜０．２０質量％、より好ましくは０．０２〜０．２０質量％、更に好ましくは０．０４〜０．１６質量％、更に好ましくは０．０５〜０．１５質量％、より更に好ましくは０．０６〜０．１４質量％、特に好ましくは０．０７〜０．１２質量％である。
当該含有量が０．００１質量％以上であれば、高温での清浄性をより向上させた潤滑油組成物とすることができる。一方、当該含有量が０．３０質量％以下であれば、潤滑油組成物の動粘度を低く調整しやすく、省燃費性を向上させることができる。
【０１０８】
櫛形ポリマー（Ａ１）の含有量と、アルケニルコハク酸イミド系化合物（Ｂ３）のホウ素原子換算での含有量との比〔Ａ１／Ｂ３〕は、好ましくは１．６／１〜３０／１、より好ましくは１．８／１〜２０／１、更に好ましくは２．０／１〜１６／１、より更に好ましくは３．０／１〜１０／１である。
当該比が１．６／１以上であれば、粘度特性を良好とし、省燃費性能を向上させることができる。一方、当該比が３０／１以下であれば、清浄性をより向上させた潤滑油組成物とすることができる。
なお、本明細書において、上記の「成分（Ｂ３）のホウ素原子換算での含有量」は、「成分（Ｂ３）に由来のホウ素原子の含有量」と同じである。
【０１０９】
なお、本発明の一態様の潤滑油組成物において、成分（Ｂ３）が、アルケニルコハク酸イミドとホウ素変性アルケニルコハク酸イミドとを共に含むことが好ましい。
アルケニルコハク酸イミドの窒素原子換算での含有量（ｉ）と、ホウ素変性アルケニルコハク酸イミドのホウ素原子換算での含有量（ii）との比〔（ｉ）／（ii）〕としては、好ましくは１／５〜２０／１、より好ましくは１／２〜１５／１、更に好ましくは１／１〜１０／１、より更に好ましくは２．５／１〜６／１である。
【０１１０】
本発明の一態様の潤滑油組成物において、当該潤滑油組成物の全量（１００質量％）基準での成分（Ｂ３）として含まれるホウ素変性アルケニルコハク酸イミドの含有量は、ホウ素原子換算で、好ましくは０．００１〜０．０１５質量％、より好ましくは０．００１〜０．１０質量％、更に好ましくは０．００３〜０．０７質量％、より更に好ましくは０．００５〜０．０５質量％、特に好ましくは０．０１〜０．０４質量％である。
また、窒素原子換算でのホウ素変性アルケニルコハク酸イミドの含有量は、当該潤滑油組成物の全量（１００質量％）基準で、好ましくは０．００１〜０．１０質量％、より好ましくは０．００３〜０．０７質量％、更に好ましくは０．００５〜０．０５質量％、より更に好ましくは０．０１〜０．０４質量％である。
【０１１１】
＜摩擦調整剤（Ｃ）＞
本発明の潤滑油組成物は、モリブデン系摩擦調整剤を含む摩擦調整剤を含有する。当該モリブデン系摩擦調整剤を含有することで、耐摩耗特性を向上させ、省燃費性に優れた潤滑油組成物とすることができる。
本発明の一態様で用いる当該モリブデン系摩擦調整剤としては、分子中にモリブデン（Ｍｏ）を含有する化合物であれば特に制限は無く、例えば、ジチオカルバミン酸モリブデン（ＭｏＤＴＣ）、ジチオリン酸モリブデン（ＭｏＤＴＰ）、モリブテン酸のアミン塩等が挙げられる。
これらの中でも、ジチオカルバミン酸モリブデン（ＭｏＤＴＣ）又はジチオリン酸モリブデン（ＭｏＤＴＰ）が好ましい。
【０１１２】
ジチオカルバミン酸モリブデン（ＭｏＤＴＣ）としては、下記一般式（Ｃ−１）で表される化合物が好ましい。また、ジチオリン酸モリブデン（ＭｏＤＴＰ）としては、下記一般式（Ｃ−２）で表される化合物が好ましい。
【化５】
0006572900.tif 000006
【０１１３】
上記一般式（Ｃ−１）及び（Ｃ−２）中、Ｒ１〜Ｒ４は、それぞれ独立に、炭素数５〜１８（好ましくは５〜１６、より好ましくは５〜１２）の炭化水素基を示し、互いに同一であってもよく、異なっていてもよい。
Ｘ１〜Ｘ４は、それぞれ独立に、酸素原子又は硫黄原子を示し、互いに同一であってもよく、異なっていてもよい。
なお、基油に対する溶解性を向上させる観点から、上記一般式（Ｃ−１）及び（Ｃ−２）において、Ｘ１〜Ｘ４中の硫黄原子と酸素原子とのモル比〔硫黄原子／酸素原子〕が、好ましくは１／３〜３／１、より好ましくは１．５／２．５〜３／１である。
【０１１４】
Ｒ１〜Ｒ４として選択し得る炭化水素基としては、例えば、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等の炭素数５〜１８のアルキル基；オクテニル基、ノネニル基、デセニル基、ウンデセニル基、ドデセニル基、トリデセニル基、テトラデセニル基、ペンタデセニル基等の炭素数５〜１８のアルケニル基；シクロヘキシル基、ジメチルシクロヘキシル基、エチルシクロヘキシル基、メチルシクロヘキシルメチル基、シクロヘキシルエチル基、プロピルシクロヘキシル基、ブチルシクロヘキシル基、ヘプチルシクロヘキシル基等の炭素数５〜１８のシクロアルキル基；フェニル基、ナフチル基、アントラセニル基、ビフェニル基、ターフェニル基等の炭素数６〜１８のアリール基；トリル基、ジメチルフェニル基、ブチルフェニル基、ノニルフェニル基、メチルベンジル基、ジメチルナフチル基等のアルキルアリール基；フェニルメチル基、フェニルエチル基、ジフェニルメチル基等の炭素数７〜１８のアリールアルキル基等が挙げられる。
【０１１５】
本発明の一態様の潤滑油組成物において、当該潤滑油組成物の全量（１００質量％）基準でのモリブデン系摩擦調整剤の含有量は、モリブデン原子換算で、好ましくは０．０１〜０．１５質量％、より好ましくは０．０１２〜０．１０質量％、更に好ましくは０．０１５〜０．０８質量％、より更に好ましくは０．０２〜０．０８質量％、特に好ましくは０．０５〜０．０８である。
当該含有量が０．０１質量％以上であれば、耐摩耗特性を向上させ、省燃費性に優れた潤滑油組成物とすることができる。一方、当該含有量が０．１５質量％以下であれば、清浄性の低下を抑えることができる。
【０１１６】
また、本発明の一態様の潤滑油組成物は、摩擦調整剤（Ｃ）として、モリブデン系摩擦調整剤以外の他の摩擦調整剤を含有してもよい。
他の摩擦調整剤としては、例えば、炭素数６〜３０のアルキル基またはアルケニル基、特に炭素数６〜３０の直鎖アルキル基または直鎖アルケニル基を分子中に少なくとも１個有する、脂肪族アミン、脂肪酸エステル、脂肪酸アミド、脂肪酸、脂肪族アルコール、脂肪族エーテル等の無灰摩擦調整剤等が挙げられる。
【０１１７】
本発明の一態様において、摩擦調整剤（Ｃ）中のモリブデン系摩擦調整剤の含有量としては、摩擦調整剤（Ｃ）の全量（１００質量％）基準で、好ましくは６０〜１００質量％、より好ましくは７０〜１００質量％、更に好ましくは８０〜１００質量％、より更に好ましくは９０〜１００質量％である。
【０１１８】
本発明の一態様の潤滑油組成物において、摩擦調整剤（Ｃ）の含有量は、当該潤滑油組成物の全量（１００質量％）基準で、好ましくは０．０１〜３．０質量％、より好ましくは０．０１〜２．０質量％、更に好ましくは０．０１〜１．０質量％である。
【０１１９】
＜汎用添加剤＞
本発明の一態様の潤滑油組成物は、本発明の効果を損なわない範囲で必要に応じて、成分（Ａ）〜（Ｃ）には該当しない化合物から構成される汎用添加剤を含有してもよい。
当該汎用添加剤としては、例えば、耐摩耗剤、極圧剤、酸化防止剤、流動点降下剤、防錆剤、金属不活性化剤、消泡剤等が挙げられる。
【０１２０】
これらの汎用添加剤の各含有量は、本発明の目的を損なわない範囲内で、適宜調整することができるが、潤滑油組成物の全量（１００質量％）基準で、通常０．００１〜１０質量％、好ましくは０．００５〜５質量％である。
なお、本発明の一態様の潤滑油組成物において、これらの汎用添加剤の合計含有量は、当該潤滑油組成物の全量（１００質量％）基準で、好ましくは２０質量％以下、より好ましくは１０質量％以下、更に好ましくは５質量％以下、より更に好ましくは２質量％以下である。
【０１２１】
耐摩耗剤又は極圧剤としては、例えば、ジアルキルジチオリン酸亜鉛（ＺｎＤＴＰ）、リン酸亜鉛、ジチオカルバミン酸亜鉛、ジチオカルバミン酸モリブデン、ジチオリン酸モリブデン、ジスルフィド類、硫化オレフィン類、硫化油脂類、硫化エステル類、チオカーボネート類、チオカーバメート類、ポリサルファイド類等の硫黄含有化合物；亜リン酸エステル類、リン酸エステル類、ホスホン酸エステル類、及びこれらのアミン塩又は金属塩等のリン含有化合物；チオ亜リン酸エステル類、チオリン酸エステル類、チオホスホン酸エステル類、及びこれらのアミン塩又は金属塩等の硫黄及びリン含有耐摩耗剤が挙げられる。
これらの中でも、ジアルキルジチオリン酸亜鉛（ＺｎＤＴＰ）が好ましい。
本発明の一態様の潤滑油組成物がＺｎＤＴＰを含む場合、当該潤滑油組成物の全量（１００質量％）基準でのＺｎＤＴＰの含有量は、リン原子換算で、好ましくは０．０１〜０．２質量％、より好ましくは０．０２〜０．１５質量％、更に好ましくは０．０３〜０．１２質量％、より更に好ましくは０．０３〜０．１０質量％である。
【０１２２】
酸化防止剤としては、例えば、ビスフェノール系、及びエステル基含有フェノール系等のフェノール系酸化防止剤、ジフェニルアミン系等のアミン系酸化防止剤等が挙げられる。なお、アミン系酸化防止剤としては、上述の成分（Ｃ）には該当しないモリブデンアミン系酸化防止剤であってもよい。
【０１２３】
流動点降下剤としては、例えば、エチレン−酢酸ビニル共重合体、塩素化パラフィンとナフタレンとの縮合物、塩素化パラフィンとフェノールとの縮合物、ポリメタクリレート、ポリアルキルスチレン等が挙げられる。
【０１２４】
防錆剤としては、例えば、石油スルフォネート、アルキルベンゼンスルフォネート、ジノニルナフタレンスルフォネート、アルケニルコハク酸エステル、多価アルコールエステル等が挙げられる。
【０１２５】
金属不活性化剤としては、例えば、ベンゾトリアゾール系化合物、トリルトリアゾール系化合物、チアジアゾール系化合物、イミダゾール系化合物、ピリミジン系化合物等が挙げられる。
【０１２６】
消泡剤としては、例えば、シリコーン油、フルオロシリコーン油およびフルオロアルキルエーテル等が挙げられる。
【０１２７】
極圧剤としては、例えば、スルフィド類、スルフォキシド類、スルフォン類、チオホスフィネート類等の硫黄系極圧剤、塩素化炭化水素等のハロゲン系極圧剤、有機金属系極圧剤等が挙げられる。
【０１２８】
〔潤滑油組成物の各種性状〕
本発明の一態様の潤滑油組成物中のホウ素原子の含有量は、当該潤滑油組成物の全量（１００質量％）基準で、好ましくは０．０１〜０．２０質量％、より好ましくは０．０１２〜０．１５質量％、更に好ましくは０．０１５〜０．１０質量％、より更に好ましくは０．０２〜０．０７質量％である。
【０１２９】
本発明の一態様の潤滑油組成物中のカリウム原子の含有量は、当該潤滑油組成物の全量（１００質量％）基準で、好ましくは０．０１〜０．１０質量％、より好ましくは０．０１〜０．０７質量％、更に好ましくは０．０１〜０．０５質量％、より更に好ましくは０．０１２〜０．０３質量％である。
【０１３０】
本発明の一態様の潤滑油組成物中の窒素原子の含有量は、当該潤滑油組成物の全量（１００質量％）基準で、好ましくは０．００１〜０．３０質量％、より好ましくは０．００５〜０．２５質量％、更に好ましくは０．０１〜０．２０質量％、より更に好ましくは０．０５〜０．１５質量％である。
【０１３１】
本発明の一態様の潤滑油組成物中のモリブデン原子の含有量は、当該潤滑油組成物の全量（１００質量％）基準で、好ましくは０．０１〜０．１５質量％、より好ましくは０．０１２〜０．１０質量％、更に好ましくは０．０１５〜０．０８質量％、より更に好ましくは０．０２〜０．０６質量％である。
【０１３２】
本発明の一態様の潤滑油組成物中のリン原子の含有量は、当該潤滑油組成物の全量（１００質量％）基準で、好ましくは０．０１〜０．２質量％、より好ましくは０．０２〜０．１５質量％、更に好ましくは０．０３〜０．１０質量％である。
【０１３３】
本発明の一態様の潤滑油組成物の４０℃における動粘度は、好ましくは１０〜１００ｍｍ２／ｓ、より好ましくは１０〜７０ｍｍ２／ｓ、更に好ましくは１０〜４０ｍｍ２／ｓである。
【０１３４】
本発明の一態様の潤滑油組成物の１００℃における動粘度は、好ましくは３〜２０ｍｍ２／ｓ、より好ましくは３〜１０ｍｍ２／ｓ、更に好ましくは５〜８ｍｍ２／ｓである。
【０１３５】
本発明の一態様の潤滑油組成物の粘度指数は、好ましくは１６０以上、より好ましくは１７０以上、更に好ましくは１８０以上である。
【０１３６】
本発明の一態様の潤滑油組成物の１５０℃におけるＨＴＨＳ粘度は、好ましくは１．６〜３．２ｍＰａ・ｓ、より好ましくは１．７〜３．０ｍＰａ・ｓ、更に好ましくは１．８〜２．８ｍＰａ・ｓ、より更に好ましくは２．０〜２．７ｍＰａ・ｓである。
当該１５０℃におけるＨＴＨＳ粘度が１．６ｍＰａ・ｓ以上であれば、潤滑性能を良好とすることができる。一方、当該１５０℃におけるＨＴＨＳ粘度が３．２ｍＰａ・ｓ以下であれば、低温での粘度特性を良好とすると共に、省燃費性能を良好とすることができる。
この１５０℃におけるＨＴＨＳ粘度は、エンジンの高速運転時の高温領域下での粘度として想定することもでき、上記範囲に属していれば、当該潤滑油組成物は、エンジンの高速運転時を想定した高温領域下での粘度等の各種性状が良好であるといえる。
なお、本明細書において、「１５０℃におけるＨＴＨＳ粘度」は、ＡＳＴＭ  Ｄ  ４７４１に準拠して測定された、１５０℃における高温高せん粘度の値であって、具体的には、実施例に記載の測定方法により得られる値を意味する。
【０１３７】
本発明の一態様の潤滑油組成物のＨＦＲＲ試験機を用いて測定した摩擦係数は、好ましくは０．１２以下、より好ましくは０．１０以下、更に好ましくは０．０６以下、より更に好ましくは０．０５以下である。
本発明の一態様の潤滑油組成物の高圧示差走査熱量計を用いて測定したヒートフローの最大値としては、好ましくは３４０ｍＷ以下、より好ましくは３３９ｍＷ以下、更に好ましくは３３７ｍＷ以下である。
なお、本明細書において、上記潤滑油組成物の摩擦係数及びヒートフローの最大値は、実施例に記載の測定方法により得られる値を意味する。
【０１３８】
〔潤滑油組成物の用途〕
本発明の潤滑油組成物は、優れた清浄性、省燃費性、及びＬＳＰＩ防止性を有している。
そのため、本発明の潤滑油組成物を充填したエンジンは、省燃費性能等に優れたものとなり得る。当該エンジンとしては、特に制限はないが、自動車用エンジンが好ましく、直噴過給ガソリンエンジンがより好ましい。
そのため、本発明は、上述の本発明の潤滑油組成物を直噴過給ガソリンエンジンに用いる、潤滑油組成物の使用方法についても提供する。
【０１３９】
なお、本発明の一態様の潤滑油組成物は、直噴過給ガソリンエンジン用の潤滑油として好適であるが、他の用途にも適用し得る。
本発明の一態様の潤滑油組成物について考え得る他の用途としては、例えば、パワーステアリングオイル、自動変速機油（ＡＴＦ）、無段変速機油（ＣＶＴＦ）、油圧作動油、タービン油、圧縮機油、工作機械用潤滑油、切削油、歯車油、流体軸受け油、転がり軸受け油等が挙げられる。
【０１４０】
〔潤滑油組成物の製造方法〕
本発明は、以下の工程（Ｉ）を有する潤滑油組成物の製造方法も提供する。
工程（Ｉ）：基油に、
櫛形ポリマー（Ａ１）を含む粘度指数向上剤（Ａ）、
アルカリ金属ホウ酸塩（Ｂ１）と、アルカリ金属原子及びアルカリ土類金属原子から選ばれる金属原子を含有する有機金属系化合物（Ｂ２）とを含む清浄分散剤（Ｂ）、並びに、
モリブデン系摩擦調整剤を含む摩擦調整剤（Ｃ）を配合して、
アルカリ金属原子及びアルカリ土類金属原子の合計含有量が２０００質量ｐｐｍ以下もしくはカルシウム原子の含有量が１９００質量ｐｐｍ以下となるような潤滑油組成物を調製する工程。
【０１４１】
上記工程（Ｉ）において、配合する基油及び成分（Ａ）〜（Ｃ）は、上述のとおりであり、好適な成分、各成分の含有量も上述のとおりである。
また、本工程において、基油及び成分（Ａ）〜（Ｃ）以外の上述の汎用添加剤等を配合してもよい。
【０１４２】
なお、成分（Ａ）は、櫛形ポリマー（Ａ１）を含む樹脂分を希釈油に溶解した溶液の形態で配合してもよい。当該溶液の固形分濃度としては、通常１０〜５０質量％である。
本発明の一態様において、成分（Ａ）を固形分濃度が１０〜５０質量％の粘度指数向上剤（Ａ）の溶液の形態で配合する場合、当該溶液の配合量としては、当該潤滑油組成物の全量（１００質量％）に対して、好ましくは０．１〜３０質量％、より好ましくは１〜２５質量％、更に好ましくは２〜２０質量％である。
【０１４３】
また、成分（Ａ）だけでなく、成分（Ｂ）〜（Ｃ）や上述の汎用添加剤についても、希釈油等を加えて溶液（分散体）の形態とした上で、配合してもよい。
各成分を配合した後、公知の方法により、撹拌して均一に分散させることが好ましい。
なお、各成分を配合後に、成分の一部が変性したり、２成分が互いに反応し、別の成分を生成した場合の得られる潤滑油組成物についても、本発明の技術的範囲に属するものである。
【実施例】
【０１４４】
次に、本発明を実施例により更に詳細に説明するが、本発明はこれらの例によって何ら限定されるものではない。なお、実施例及び比較例で調製した潤滑油組成物の各原子の含有量、及び潤滑油組成物の１５０℃におけるＨＴＨＳ粘度は、下記の方法により測定及び評価した。【０１４５】
［潤滑油組成物の各原子の含有量］
＜ホウ素原子、カルシウム原子、カリウム原子、モリブデン原子、及びリン原子の含有量＞
ＪＰＩ−５Ｓ−３８−９２に準拠して測定した。
＜窒素原子の含有量＞
ＪＩＳ  Ｋ２６０９に準拠して測定した。【０１４６】
［１５０℃におけるＨＴＨＳ粘度（高温高せん断粘度）］
ＡＳＴＭ  Ｄ  ４７４１に準拠して、対象となる潤滑油組成物について、１５０℃で、せん断速度１０６／ｓにて、せん断した後の粘度を測定した。【０１４７】
以下の実施例及び比較例で調製した潤滑油組成物の調製に用いた基油及び各種添加剤は、以下のとおりである。
＜基油＞
・鉱油（グループIII）：ＡＰＩ基油カテゴリーのグループIIIに分類される鉱油、１００℃における動粘度＝４．０６７ｍｍ２／ｓ、粘度指数＝１３１。
・合成油（ＰＡＯ）：ポリα−オレフィンからなる合成油、１００℃における動粘度＝５．１ｍｍ２／ｓ、粘度指数＝１４３。【０１４８】
＜粘度指数向上剤＞
・粘度指数向上剤（１）：商品名「Ｖｉｓｃｏｐｌｅｘ  ３−２０１」、エボニック社製、主剤樹脂分として、Ｍｎが５００以上のマクロモノマーに由来する構成単位を少なくとも有する櫛形ポリマー（Ｍｗ＝４２万、Ｍｗ／Ｍｎ＝５．９２）を含む、樹脂分濃度が１９質量％の粘度指数向上剤。
・粘度指数向上剤（２）：商品名「Ｖｉｓｃｏｐｌｅｘ  ３−２２０」、エボニック社製、主剤樹脂分として、Ｍｎが５００以上のマクロモノマーに由来する構成単位を少なくとも有する櫛形ポリマー（Ｍｗ＝４５万、Ｍｗ／Ｍｎ＝３．７５）を含む、樹脂分濃度が４２質量％の粘度指数向上剤。
・粘度指数向上剤（３）：商品名「アクルーブ  Ｖ−５１１０」、三洋化成工業社製、主剤樹脂分として、ポリメタクリレート（ＰＭＡ、Ｍｗ＝５０万）を含む、樹脂分濃度が１９質量％の粘度指数向上剤。
・粘度指数向上剤（４）：商品名「ＰＡＲＡＴＯＮＥ  ８４５１」、シェブロン・オロナイト社製、主剤樹脂分として、オレフィン共重合体（ＯＣＰ、Ｍｗ＝３３万）を含む、樹脂分濃度が６質量％の粘度指数向上剤。
・粘度指数向上剤（５）：商品名「Ｉｎｆｉｎｅｕｍ  ＳＶ２６１」、インフィニアム社製、主剤樹脂分として、星形ポリマー（Ｍｗ＝６１万）を含む、樹脂分濃度が１１質量％の粘度指数向上剤。（なお、ここでいう「星形ポリマー」とは、分岐高分子の一種で、１点で３本以上の鎖状高分子が結合している構造を有しているポリマーを意味し、上述の櫛形ポリマーとは構造上異なる。）【０１４９】
＜清浄分散剤＞
・三ホウ酸カリウム：前記「成分（Ｂ１）」に該当、三ホウ酸カリウム水和物の分散体（ホウ素原子含有量：６．８質量％、カリウム原子含有量：８．３質量％）。
・カルシウム系清浄剤：前記「成分（Ｂ２）」に該当、中性カルシウムスルホネート（カルシウム原子含有量：２．２質量％、塩基価１７ｍｇＫＯＨ／ｇ）と過塩基性カルシウムサリシレート（カルシウム原子含有量：１２．１質量％、塩基価３５０ｍｇＫＯＨ／ｇ）の混合物。
・アルケニルコハク酸イミド：前記「成分（Ｂ３）成分」に該当（窒素原子含有量：１．０質量％）。
・ホウ素変性アルケニルコハク酸イミド：前記「成分（Ｂ３）」に該当（ホウ素原子含有量：１．３質量％、窒素原子含有量：１．２質量％）。【０１５０】
＜摩擦調整剤＞
・ＭｏＤＴＣ：ジチオカルバミン酸モリブデン（Ｍｏ原子含有量：１０質量％、硫黄原子含有量：１１．５質量％）。【０１５１】
＜耐磨耗剤＞
・ＺｎＤＴＰ：ジアルキルジチオりん酸亜鉛（リン原子含有量：７．５質量％、亜鉛原子含有量：８．５質量％、硫黄原子含有量：１５．０質量％）。【０１５２】
［潤滑油組成物の清浄性の評価］
実施例１〜１４、比較例１〜５
表１に示す種類及び配合量の基油及び各種添加剤を配合して、１５０℃におけるＨＴＨＳ粘度が２．６ｍＰａ・ｓとなるように潤滑油組成物をそれぞれ調製した。
なお、表１〜５中の鉱油の含有量の標記が「調整」と記載されているが、これは鉱油の含有量を７５〜９５質量％の範囲で適宜調整したことを意味している。【０１５３】
調製したこれらの潤滑油組成物については、下記の方法に基づき、３００℃でのホットチューブ試験を行った。その結果を表１に示す。
また、表１に記載（表２にも記載）の実施例２及び比較例５の潤滑油組成物については、下記の方法に基づき、Ｓｅｑｕｅｎｃｅ  IIIＧ試験も行った。その結果を表２に示す。【０１５４】
＜ホットチューブ試験（３００℃）＞
試験用の潤滑油組成物としては、内燃機関内における燃料と潤滑油との混合割合を想定して、前記した各潤滑油組成物（新油）に対してバイオ燃料（菜種油をメチルアルコールによりエステル交換して得られた燃料）を５質量％配合した混合油を用いた。
試験温度は、３００℃に設定し、その他の条件については、ＪＰＩ−５Ｓ−５５−９９に準拠して測定した。また、試験後の評点はＪＰＩ−５Ｓ−５５−９９に準拠してテストチューブに付着したラッカーを０（黒色）〜１０（無色）の１１段階にて評価し、数字が大きいほど堆積物が少なく清浄性が良好であることを示す。当該評点は、６以上を合格としているが、好ましくは７以上、より好ましくは８以上である。【０１５５】
【表１】
0006572900.tif 000007
【０１５６】
＜Ｓｅｑｕｅｎｃｅ  IIIＧ試験＞
ＡＳＴＭ  Ｄ  ７３２０に準拠して測定し、Ｗｅｉｇｈｔｅｄ  Ｐｉｓｔｏｎ  Ｄｅｐｏｓｉｔ（ＷＰＤ）評点にて評価した。ＷＰＤ評点が高い程、清浄性が良好であることを示す。当該評点は、４．０以上を合格としているが、好ましくは４．５以上、より好ましくは５．０以上である。【０１５７】
【表２】
0006572900.tif 000008
【０１５８】
表１より、実施例１〜１４の潤滑油組成物は、３００℃でのホットチューブ試験の評点が、比較例１〜５の潤滑油組成物に比べて高く、清浄性に優れていることがわかる。
さらに、表２により、ホットチューブ試験の評点が高い実施例２は、ホットチューブ試験の評点が低い比較例２に比べて、「Ｓｅｑｕｅｎｃｅ  IIIＧ試験」の評点も高い結果となった。このことから、表１に記載の「ホットチューブ試験の評点」と、「Ｓｅｑｕｅｎｃｅ  IIIＧ試験」との結果には相関があるといえる。
表１及び２の結果を鑑みると、本発明の一態様の潤滑油組成物は、直噴過給ガソリンエンジン用の潤滑油に好適であるといえる。【０１５９】
［潤滑油組成物の動粘度及び粘度指数の値に基づく省燃費性の評価］
実施例１、比較例１、６、７
比較例６〜７について、表３に示す種類及び配合量の基油及び各種添加剤を配合して、１５０℃におけるＨＴＨＳ粘度が２．６ｍＰａ・ｓとなる潤滑油組成物を調製した。
表１に記載（表３にも記載）の実施例１及び比較例１の潤滑油組成物、並びに、表３に記載の比較例６〜７の潤滑油組成物について、下記の方法に基づき、４０℃及び１００℃における動粘度、並びに粘度指数を測定し、これらの測定値に基づく省燃費性の評価を行った。当該結果を表３に示す。【０１６０】
＜４０℃及び１００℃における動粘度＞
ＪＩＳ  Ｋ  ２２８３に準拠して測定した。
＜粘度指数＞
ＪＩＳ  Ｋ  ２２８３に準拠して測定した。【０１６１】
【表３】
0006572900.tif 000009
【０１６２】
表３より、実施例１の潤滑油組成物は、粘度特性が良好であり、省燃費性に優れているといえる。一方、樹脂分として、オレフィン共重合体（ＯＣＰ）や星形ポリマーを含む粘度指数向上剤を用いた比較例６、７の潤滑油組成物は、実施例１に比べて、粘度指数が高く、温度による粘度変化が大きいと考えられ、燃費の点で問題がある。【０１６３】
［潤滑油組成物の摩擦係数の値に基づく省燃費性の評価］
実施例１〜３、比較例８
比較例８について、表４に示す種類及び配合量の基油及び各種添加剤を配合して、１５０℃におけるＨＴＨＳ粘度が２．６ｍＰａ・ｓとなる潤滑油組成物を調製した。
表１に記載（表４にも記載）の実施例１〜３の潤滑油組成物、及び表４に記載の比較例８の潤滑油組成物について、下記の方法に基づき、摩擦係数を測定し、当該摩擦係数の値に基づく省燃費性の評価を行った。当該結果を表４に示す。【０１６４】
＜摩擦係数（ＨＦＲＲ試験）＞
ＨＦＲＲ試験機（ＰＣＳ  Ｉｎｓｔｒｕｍｅｎｔｓ社製）を用い、下記の条件にて、実施例及び比較例で調製した潤滑油組成物の摩擦係数を測定した。摩擦係数が低い程、摩擦低減効果に優れ、省燃費性が良好であるといえる。
・テストピース：（Ａ）ボール＝ＨＦＲＲ標準テストピース（ＡＩＳＩ  ５２１００材）、（Ｂ）ディスク＝ＨＦＲＲ標準テストピース（ＡＩＳＩ  ５２１００材）
・振幅：１．０ｍｍ
・周波数：５０Ｈｚ
・荷重：５ｇ
・温度：８０℃【０１６５】
【表４】
0006572900.tif 000010
【０１６６】
表４より、実施例１〜３の潤滑油組成物は、摩擦係数が低く、省燃費性に優れているといえる。一方、モリブデン系摩擦調整剤を配合していない比較例８の潤滑油組成物は、実施例１〜３に比べて、摩擦係数が高く、省燃費性が劣る結果となった。【０１６７】
［潤滑油組成物のＬＳＰＩ防止性］
実施例１、７、比較例９〜１０
比較例９〜１０について、表５に示す種類及び配合量の基油及び各種添加剤を配合して、１５０℃におけるＨＴＨＳ粘度が２．６ｍＰａ・ｓとなる潤滑油組成物を調製した。
表１に記載（表５にも記載）の実施例１、７の潤滑油組成物、及び表５に記載の比較例９〜１０の潤滑油組成物について、下記の方法に基づき、ヒートフローの最大値を測定し、当該ヒートフローの最大値に基づくＬＳＰＩ防止性の評価を行った。それらの結果を表５に示す。【０１６８】
＜ヒートフローの最大値＞
調製した潤滑油組成物について、高圧示差走査熱量計を用いて昇温に伴うヒートフローの発生を解析した。一般に、潤滑油組成物は、昇温していくと特定の温度で瞬間的な発熱が生じ、燃焼する。この時の瞬間的な発熱が生じた際の発熱量が大きいほど、燃焼室内において燃焼反応を引き起こしやすく、すなわちＬＳＰＩを誘引しやすい。そこで、瞬間的な発熱が生じた際の発熱量の基準として、発熱速度に対応するヒートフローの最大値を求めた。当該値が小さいほど、ＬＳＰＩ防止性が良好であるといえる。【０１６９】
【表５】
0006572900.tif 000011
【０１７０】
表５より、実施例１及び７の潤滑油組成物は、ヒートフローの最大値が小さく、ＬＳＰＩ防止性に優れていることがわかる。
一方、アルカリ金属原子及びアルカリ土類金属原子の合計含有量が２０００ｐｐｍを超える比較例９及び１０の潤滑油組成物は、実施例１及び７に比べて、ヒートフローの最大値が高く、ＬＳＰＩ防止性が劣るものと考えられる。